(57)【要約】      （修正有）【課題】小型の撮像装置でも撮影者の疲労が少ない保持ができ、かつ撮影者が快適な視距離を確保できるようにする。【解決手段】撮像を行うためのレンズ部を含む第一の筐体２と、撮像映像を表示すための表示部３と、前記第一の筐体と前記表示部を可動可能に連結する第二の筐体４を有する撮像装置において、撮影時に前記表示部を前記レンズ部の先端より前方に配置させる形態と、収納時に前記表示部を前記レンズ部先端より後方に配置させる形態とを持つ。【選択図】図１
2012119802.tif 000002
【特許請求の範囲】
【請求項１】
撮像を行うためのレンズ部1を含む第一の筐体2と、撮像映像を表示すための表示部3と、前記第一の筐体2と前記表示部3を可動可能に連結する第二の筐体4を有する撮像装置において、
前記表示部3を前記レンズ部1の先端より前方に配置させる第一の形態（図a）と、
前記表示部3を前記レンズ部1先端より後方に配置させる第二の形態(図b,c)を持つことを特徴とする撮像装置。
【請求項２】
前記第一の形態は撮影時の形態であることを特徴とする請求項１に記載の撮像装置。
【請求項３】
前記第二の形態は前記表示部の収納時の形態であることを特徴とする請求項１又は請求項２に記載の撮像装置。
【請求項４】
前記第一の筐体と前記第二の筐体は機械的に接続され、その接続方式はスライド方式であることを特徴とする請求項１乃至請求項３の何れか１項に記載の撮像装置。
【請求項５】
前記第一の筐体と前記第二の筐体は機械的に接続され、その接続方式は多軸もしくは単軸のヒンジ方式であることを特徴とする請求項１乃至請求項３の何れか１項に記載の撮像装置。
【発明の詳細な説明】
【技術分野】
【０００１】
本発明は撮像部と表示部を有する撮像装置に関するものである。
【背景技術】
【０００２】
図12は特許文献１に記載されている図であり、121は表示部、122は撮像装置本体、123はグリップ部である。本提案ではグリップ123を保持し、撮像装置の前部に表示部を配置する構成をなっている。本提案は撮像装置本体122を保持するのではなく、グリップ部123を保持するような大きな撮像装置を想定しているため、この構成により、撮影者と表示部との距離が保て、快適な視距離で撮影できる。また同時に撮影者と撮像装置を近くして疲労の少ない位置で撮像装置を保持しても撮像装置が大きいため快適な視距離が保てるとして快適に撮影できる撮像装置を提供しようとしている。
【先行技術文献】
【特許文献】
【０００３】
【特許文献１】特開平5-191698号公報
【発明の概要】
【発明が解決しようとする課題】
【０００４】
しかしながら現在普及しているコンシューマー向けのレンズを含む筐体自体を保持するような小さい撮像装置の場合、図１０に示すように撮像装置の前部に表示部を配置するだけでは充分な視距離を保つことができない。また図１１に示すように撮影者快適な視距離を保つためには腕を伸ばして表示部を遠ざけると疲労が著しい。
【課題を解決するための手段】
【０００５】
撮像を行うためのレンズ部を含む第一の筐体と、撮像映像を表示すための表示部と、前記第一の筐体と前記表示部を可動可能に連結する第二の筐体を有する撮像装置において、
前記表示部を前記レンズ部の先端より前方に配置させる第一の形態と、
前記表示部を前記レンズ部先端より後方に配置させる第二の形態を持つことを特徴とする。
前記撮像装置において、
前記第一の形態は撮影時であることを特徴とする。
前記撮像装置において、
前記第二の形態は前記表示部の収納時であることを特徴とする。
前記撮像装置において、
前記第一の筐体と前記第二の筐体は機械的に接続され、その接続方式はスライド方式であり、前記第二の筐体と前記表示部は機械的に接続され、その接続方式は多軸もしくは単軸のヒンジ方式であることを特徴とする。
前記撮像装置において、
前記第一の筐体と前記第二の筐体は機械的に接続され、その接続方式は多軸もしくは単軸のヒンジ方式であり、前記第二の筐体と前記表示部は機械的に接続され、その接続方式は多軸もしくは単軸
のヒンジ方式であることを特徴とする。
【発明の効果】
【０００６】
以上説明したように、本発明によれば小型の撮像装置でも撮影者の疲労が少ない保持ができ、かつ撮影者が快適な視距離を確保できる。
【図面の簡単な説明】
【０００７】
【図１】ａは本発明にかかる第１の実施の形態の撮像装置の要部概略構造である。本実施例における主眼となる形態である。ｂは表示部の収納状態である。ｃは表示部の収納状態である。
【図２】本発明にかかる撮像装置の電気的接続を示している。
【図３ａ】発明の主眼となる第一の筐体２と第二の筐体４の構造を示している断面図である。
【図３ｂ】発明の主眼となる第一の筐体２と第二の筐体４の構造を示している断面図である。
【図４】本実施例における効果を示す図である。
【図５】外部入出力端子部７にケーブル５１を挿したまま、撮影を行った場合の図であり、撮像装置の後ろ側から表示部３を見た図である。
【図６ａ】本発明にかかる第２の実施の形態の撮像装置の要部概略構造である本実施例における主眼となる形態である。
【図６ｂ】表示部の収納状態である。
【図６ｃ】表示部の収納状態である。
【図７ａ】発明の主眼となる第一の筐体６２と第二の筐体６４、第二の筐体６４と表示部６３の機械的接続構造を示している図である。構造概略である。
【図７ｂ】第一の筐体６２と第二の筐体６４および第二の筐体６４と表示部６３のロック機構である。
【図８】発明の主眼となる第二の筐体の機能について示しており、撮像装置を上面から見た図である。
【図９】外部入出力端子部６７にケーブル１０１を挿したまま、撮影を行った場合の図であり、撮像装置の後ろ側から表示部６３を見た図である。
【図１０】視距離を保つために撮像装置を撮影者から離して撮影している様子である。
【図１１】図１１は撮影時の疲労を軽減するために撮影装置を撮影者の近くで撮影している様子である。
【図１２】従来例である。
【発明を実施するための形態】
【０００８】
以下に、本発明の実施の形態を、好適な実施例に基づき、図面を用いて詳細に説明する。
【０００９】
［実施例１］
図１に、本発明にかかる第１の実施の形態の撮像装置の要部概略構造を示す。図１aは本実施例における主眼となる形態であり撮影時の形態である。図１b、図１cは表示部の収納状態である。図１において、１は撮像をするためのレンズ、２はレンズを含む第一の筐体、３はレンズ１で撮像された映像を映し出すための表示部、４は第一の筐体２と表示部３を機械的に接続する第二の筐体であり、第一の筐体２とはスライド方式で接続し、表示部３とは２軸のヒンジで接続している。また第一の筐体2は保持部として使用される。５は撮像装置の操作系、6はメディアの挿抜口、7は外部入出力端子部、である。
【００１０】
図１aは表示部３がレンズ１より前に配置されている状態であり、図１ｂ、ｃは表示部３がレンズ１より後ろに配置されている状態である。
【００１１】
図２は本発明にかかる第一の実施形態の撮像装置の電気的なフローを示すブロック図である。レンズ1より入光された画を撮像部24で電気信号に変換し画像処理22を通して記録メディア23に保存され、同時に表示部3へ映し出され、出力端子7へ送られる。またそれら一連の制御をマイコン21が行い、操作キー5などの入力を受け付ける。
【００１２】
また、表示部３と第一の筐体２との間の映像データの送受信のために電気的接続手段としてフレキシブルプリンテッドサーキット（以下FPCとする）やワイヤーなどが第一の筐体２から第二の筐体４を通して表示部３に接続される。ここでは電気的接続手段としてFPCやワイヤーを挙げたが無線でもよい。
【００１３】
図３は発明の主眼となる構造について示している。図３は第一の筐体２と第二の筐体４の構造を示している断面図であり、図１aに示す撮影時の形態である。31はレンズに入射する光線であり、θ32は光線31の入射角度である。ここで示すθ31はある一定角度θであり、第一の筐体２に対して、表示部３をある一定の角度θ31をもって前方にスライドさせる機構が第一の筐体２と第二の筐体４との間に設けれらている。この機構により表示部3はレンズ先端より前方に配置される。このある一定角度θ31とは表示部３のアングル調整における表示部３の回動軌跡上でも光線31を遮らない角度である。つまり第二の筐体４は表示部３がどの位置にあっても光線31を遮らない位置に表示部３を規制する構造を持つ。
【００１４】
図４は発明の主眼となる機能について示している。図４に示すように撮像装置を撮影者の近くに配置し、撮影者の疲労が少ないように撮像装置を保持して撮影した場合でも、表示部３は撮影者から適度な距離が保たれ、快適な視距離を保つことができる。また同時に表示部３のアングル調整をしても誤って表示部３が撮影されることはない。
【００１５】
ここからは本実施例における二次的な効果について説明する。
【００１６】
図１aの形態では、表示部収納面に配置された操作系5やメディアの挿抜口6や外部入出力端子部7の操作の際に表示部３が操作する手にあたって邪魔になることがない。
【００１７】
図５は外部入出力端子部７にケーブル５１を挿したまま、撮影を行った場合の図であり、撮像装置の後ろ側から表示部３を見た図である。本実施例では図に示すようにケーブル５１を挿したままでも、撮像装置後ろ側から表示部３を見ても邪魔にならない。これは図３に示す表示部３のスライド機構におけるある角度θ31により、撮像装置後ろ側から見て左側にも表示部３がスライド移動するためである。
【００１８】
以上説明したように、本発明によれば、小型の撮像装置でも撮影者の疲労が少ない保持ができ、かつ撮影者が快適な視距離を保て、誤って表示部を撮影してしまうこのとのない快適な撮影が可能な撮像装置を提供できる。
【００１９】
また、表示部収納面に配置された操作系やメディアの挿抜口や外部入出力端子部の操作を行い易く、外部入出力端子部にケーブルを挿した状態でも、ケーブルが表示部を見るのに邪魔にならない快適な撮影、操作が可能な撮像装置を提供できる。
【００２０】
［実施例２］
図６に、本発明にかかる第２の実施の形態の撮像装置の要部概略構造を示す。図６aは本実施例における主眼となる形態である。図６b、図６cは表示部の収納状態である。図６において、６１は撮像をするためのレンズと撮像部、６２はレンズと撮像部を含む第一の筐体、６３はレンズと撮像部６１で撮像された映像を映し出すための表示部、６４は第一の筐体６２と表示部６３を機械的に接続する第二の筐体であり、本実施例では第一の筐体２とは一軸のヒンジ方式で接続し、表示部６３とも一軸のヒンジ方式で接続している。68aは第一の筐体62と第二の筐体64とのロックつめであり、68bは68aの受けのロック機構である。69aは表示部63と第二の筐体64とのロックつめであり、69bは69aの受けのロック機構である。60はロック解除ボタンである。６５は撮像装置の操作系、６６はメディアの挿抜口、６７は外部入出力端子部、である。
【００２１】
実施例２における電気的な接続は図２に示すものと同じである。
【００２２】
また、表示部６３と第一の筐体２との間の映像データの送受信のために電気的接続手段としてフレキシブルプリンテッドサーキット（以下FPCとする）やワイヤーなどが第一の筐体２から第二の筐体６４を通して表示部６３に接続される。ここでは電気的接続手段としてFPCやワイヤーを挙げたが無線でもよい。
【００２３】
図７は発明の主眼となる第一の筐体６２と第二の筐体６４、第二の筐体６４と表示部６３の機械的接続構造を示している図である。図７aは構造概略、図７bは第一の筐体６２と第二の筐体６４のロック機構および、第二の筐体６４と表示部６３のロック機構を示している。７１は第一の筐体６２と第二の筐体６４とを接続するヒンジである。７１aは第一の筐体６２と第二の筐体６４を常に開き方向に付勢しているトーションバネ、７１b、７１cは第一の筐体６２と第二の筐体６４の開き角度を規制するストッパーである。７２は第二の筐体６４と表示部６３とを接続するヒンジであり、７３は第二の筐体６４と表示部６３とを常に開き方向に付勢するトーションバネである。図7bは第一の筐体６２と第二の筐体６４、第二の筐体６４と表示部６３とを収納状態にロックするロック機構を示している。74はロック機構の一部である圧縮バネ、68aは第一の筐体６２と第二の筐体６４をロックする爪、68bは68aのロック部受け、69aは第二の筐体６４と表示部６３をロックする爪、69bは69aのロック部受け、60はロック解除ボタンである。68ｂ、69ｂ、60は一体で構成されロック解除ボタン60を押すことで第一の筐体６２と第二の筐体６４、第二の筐体６４と表示部６３双方のロックが解除される。
【００２４】
ロック解除後の動きは、ヒンジ７１によって第一の筐体６２に対して、表示部６３と第二の筐体６４は共にある一定の角度まで回動する。その後、表示部６３は表示部６３と第二の筐体６４との間にあるヒンジ機構７２とトーションバネ７３によって、表示部面とレンズの光軸が略垂直になるように回動し配置される。
【００２５】
また、図6b,cに示すように表示部６３の収納時は表示部６３がレンズ６1の先端より後方に配置される。
【００２６】
図８は発明の主眼となる第二の筐体の機能について示しており、撮像装置を上面から見た図である。８１はレンズと撮像部６１に入射する光線であり、最も広角に光線が広がっている場合を示している。ここでは光線の入射角度をθ８1とする。図８に示すように第二の筐体６４は表示部６３をレンズと撮像部６１のレンズ前玉より前方に導き、かつレンズと撮像部６１に入射する光線７１を表示部６３が遮らない位置に規制する。この機構により表示部3はレンズ先端より前方に配置される。この時の第二の筐体６４と光軸との角度をθ82とする。
【００２７】
これにより、図3bに示すように撮像装置を撮影者の近くに配置し、撮影者の疲労が少ないように撮像装置を保持して撮影した場合でも、表示部６３は撮影者から適度な距離が保たれ、快適な視距離を保つことができる。
【００２８】
ここからは本実施例における二次的な効果について説明する。
【００２９】
図6aの形態では、表示部６３がヒンジ機構により撮像装置の前側へ回動するため、表示部収納面91に配置された操作系65やメディアの挿抜口66や外部入出力端子部67の操作の際に表示部６３が操作する手にあたって邪魔になることがない。
【００３０】
図9は外部入出力端子部６７にケーブル91を挿したまま、撮影を行った場合の図であり、撮像装置の後ろ側から表示部６３を見た図である。本実施例では図に示すようにケーブル91を挿したままでも、撮像装置後ろ側から表示部６３を見ても邪魔にならない。これは図８に示す表示部６３のヒンジ機構８１により、撮像装置後ろ側から見て左側にも表示部６３が移動されるためである。
【００３１】
以上説明したように、本発明によれば、小型の撮像装置でも撮影者の疲労が少ない保持ができ、かつ撮影者が快適な視距離を保て、誤って表示部を撮影してしまうこのとのない快適な撮影が可能な撮像装置を提供できる。
【００３２】
また、表示部収納面に配置された操作系やメディアの挿抜口や外部入出力端子部の操作を行い易く、外部入出力端子部にケーブルを挿した状態でも、ケーブルが表示部を見るのに邪魔にならない快適な撮影、操作が可能な撮像装置を提供できる。
【符号の説明】
【００３３】
１‥‥撮像をするためのレンズと撮像部
２‥‥レンズと撮像部を含む第一の筐体
３‥‥レンズと撮像部１で撮像された映像を映し出すための表示部
４‥‥第一の筐体２と表示部３を機械的に接続する第二の筐体
５‥‥撮像装置の操作系
６‥‥メディアの挿抜口
７‥‥外部入出力端子部
３１‥‥レンズに入射する光線
４１‥‥表示部収納面
５１‥‥ケーブル
60‥‥ロック解除ボタン
６１‥‥撮像をするためのレンズと撮像部
６２‥‥レンズと撮像部を含む第一の筐体
６３‥‥撮像された映像を映し出すための表示部
６４‥‥第一の筐体６２と表示部６３を機械的に接続する第二の筐体
６５‥‥撮像装置の操作系
６６‥‥メディアの挿抜口
６７‥‥外部入出力端子部
68a‥‥第一の筐体６２と第二の筐体６４をロックする爪
68b‥‥68aのロック部受け
69a‥‥第二の筐体６４と表示部６３をロックする爪
69b‥69aのロック部受け
７１‥‥第一の筐体６２と第二の筐体６４とを接続するヒンジ
７１a‥‥第一の筐体６２と第二の筐体６４を常に開き方向に付勢しているトーションバネ
７１b、７１c‥‥は第一の筐体６２と第二の筐体６４の開き角度を規制するストッパー
７２‥‥第二の筐体６４と表示部６３とを接続するヒンジ
７３‥‥第二の筐体６４と表示部６３とを常に開き方向に付勢するトーションバネ
７４‥‥ロック機構の一部である圧縮バネ
８１‥‥レンズと撮像部６１に入射する光線
９１‥‥ケーブル
１２1‥‥表示部
１２２‥‥撮像装置本体
１２３‥‥グリップ部
θ３１‥‥ある一定角度
θ３２‥‥光線３１の入射角度
θ８１‥‥光線７１の入射角度
θ８２‥‥第二の筐体６４と光軸との角度
【図１】
2012119802.tif 000003
【図２】
2012119802.tif 000004
【図３ａ】
2012119802.tif 000005
【図３ｂ】
2012119802.tif 000006
【図４】
2012119802.tif 000007
【図５】
2012119802.tif 000008
【図６ａ】
2012119802.tif 000009
【図６ｂ】
2012119802.tif 000010
【図６ｃ】
2012119802.tif 000011
【図７ａ】
2012119802.tif 000012
【図７ｂ】
2012119802.tif 000013
【図８】
2012119802.tif 000014
【図９】
2012119802.tif 000015
【図１０】
2012119802.tif 000016
【図１１】
2012119802.tif 000017
【図１２】
2012119802.tif 000018